(57)【要約】【課題】断熱性能の向上を実現する。【解決手段】本発明の断熱容器（１０）は、内側断熱層（１１ａ）と外側断熱層（１１ｃ）との間に真空断熱層（１１ｂ）が配された、少なくとも３層の積層構造を有する壁部を有し、真空断熱層（１１ｂ）は、内側断熱層（１１ａ）側および外側断熱層（１１ｃ）側の少なくとも一方から押圧され、かつ内側断熱層（１１ａ）および外側断熱層（１１ｃ）の両方と密着した状態で挟持されている。【選択図】図３
2019137458.tif 000002
【特許請求の範囲】
【請求項１】
容器本体と、
前記容器本体の内部に配された蓄熱材と、を備え、
前記容器本体の壁部は、内側断熱層と外側断熱層との間に真空断熱層が配された、少なくとも３層の積層構造を有し、
前記積層構造では、
前記真空断熱層は、前記内側断熱層側および前記外側断熱層側の少なくとも一方から押圧され、かつ前記内側断熱層および前記外側断熱層の両方と密着した状態で挟持されたことを特徴とする断熱容器。
【請求項２】
前記蓄熱材は、融解温度−６０℃以下の蓄冷材であることを特徴とする請求項１に記載の断熱容器。
【請求項３】
前記真空断熱層が前記内側断熱層側および前記外側断熱層側から押圧されていない状態での前記積層構造の厚さをｔとし、
前記真空断熱層が前記内側断熱層側および前記外側断熱層側の少なくとも一方から押圧された状態での前記積層構造の厚さをＴとしたとき、
ｔ＞Ｔ
であることを特徴とする請求項１または２に記載の断熱容器。
【請求項４】
前記真空断熱層は、前記蓄熱材によって前記内側断熱層側から押圧され、かつ前記内側断熱層と密着した状態であることを特徴とする請求項１〜３の何れか１項に記載の断熱容器。
【請求項５】
前記容器本体を被覆する外装材を備え、
前記真空断熱層は、前記外装材によって前記外側断熱層側から押圧され、かつ前記外側断熱層と密着した状態であることを特徴とする請求項１〜４の何れか１項に記載の断熱容器。
【請求項６】
容器本体と、前記容器本体の内部に配された蓄熱材と、を備え、前記容器本体の壁部は、内側断熱層と外側断熱層との間に真空断熱層が配された、少なくとも３層の積層構造を有する断熱容器内に被搬送物を収納して被搬送物を運搬する運搬方法であって、
前記真空断熱層が前記内側断熱層側および前記外側断熱層側の少なくとも一方から押圧され、かつ前記内側断熱層および前記外側断熱層の両方と密着した状態で、前記被搬送物を前記断熱容器に収納することを特徴とする運搬方法。
【発明の詳細な説明】
【技術分野】
【０００１】
本発明は、断熱容器、及び断熱容器を用いた運搬方法に関する。
【背景技術】
【０００２】
従来、医薬品、医療機器、細胞、検体、臓器、化学物質または食品等の物品を保温した状態で運搬するのに用いられる断熱容器が知られている。例えば、特許文献１に開示された断熱容器は、容器本体の壁部が、真空断熱材で形成した中央断熱層と中央断熱層の両面に設けられた内側断熱層及び外側断熱層とで構成した３重断熱層を備えた構成となっている。
【先行技術文献】
【特許文献】
【０００３】
【特許文献１】特開2013-10524号公報
【発明の概要】
【発明が解決しようとする課題】
【０００４】
しかしながら、特許文献１に開示された断熱容器は、断熱性能を向上させる点で、改善の余地がある。
【０００５】
本発明の一態様は、断熱性能が向上した断熱容器及び断熱容器を用いた運搬方法を実現することを目的とする。
【課題を解決するための手段】
【０００６】
上記の課題を解決するために、本発明の態様１に係る断熱容器は、容器本体と、前記容器本体の内部に配された蓄熱材と、を備え、前記容器本体の壁部は、内側断熱層と外側断熱層との間に真空断熱層が配された、少なくとも３層の積層構造を有し、前記積層構造では、前記真空断熱層は、前記内側断熱層側および前記外側断熱層側の少なくとも一方から押圧され、かつ前記内側断熱層および前記外側断熱層の両方と密着した状態で挟持されたことを特徴としている。
【０００７】
また、本発明の態様２に係る断熱容器は、態様１において、前記蓄熱材は、融解温度−６０℃以下の蓄冷材である構成であることが好ましい。
【０００８】
また、本発明の態様３に係る断熱容器は、態様１または２において、前記真空断熱層が前記内側断熱層側および前記外側断熱層側から押圧されていない状態での前記積層構造の厚さをｔとし、前記真空断熱層が前記内側断熱層側および前記外側断熱層側の少なくとも一方から押圧された状態での前記積層構造の厚さをＴとしたとき、
ｔ＞Ｔ
である構成であることが好ましい。
【０００９】
また、本発明の態様４に係る断熱容器は、態様１〜３において、前記真空断熱層は、前記蓄熱材によって前記内側断熱層側から押圧され、かつ前記内側断熱層と密着した状態である構成であることが好ましい。
【００１０】
また、本発明の態様５に係る断熱容器は、態様１〜４において、前記容器本体を被覆する外装材を備え、前記真空断熱層は、前記外装材によって前記外側断熱層側から押圧され、かつ前記外側断熱層と密着した状態である構成であることが好ましい。
【００１１】
また、上記の課題を解決するために、本発明の態様６に係る運搬方法は、容器本体と、前記容器本体の内部に配された蓄熱材と、を備え、前記容器本体の壁部は、内側断熱層と外側断熱層との間に真空断熱層が配された、少なくとも３層の積層構造を有する断熱容器内に被搬送物を収納して被搬送物を運搬する運搬方法であって、前記真空断熱層が前記内側断熱層側および前記外側断熱層側の少なくとも一方から押圧され、かつ前記内側断熱層および前記外側断熱層の両方と密着した状態で、前記被搬送物を前記断熱容器に収納することを特徴としている。
【発明の効果】
【００１２】
本発明の態様１〜６によれば、断熱性能が向上した断熱容器及び断熱容器を用いた運搬方法を実現できる。
【図面の簡単な説明】
【００１３】
【図１】本発明の実施形態に係る断熱容器の概略構成を示す斜視図であり、（ａ）は開蓋状態を示し、（ｂ）は、閉蓋状態を示す。
【図２】本発明の実施形態に係る断熱容器の概略構成を示す断面図である。
【図３】本発明の実施形態に係る断熱容器の壁部の構成を示す断面図であり、（ａ）は、真空断熱層が押圧されていない状態を示し、（ｂ）は、真空断熱層が押圧された状態を示す。
【図４】厚さｔの平均値と厚さＴの平均値との関係を説明するための断面図であり、（ａ）は、真空断熱層が押圧されていない状態での３層の積層構造の厚さｔの平均値ｔａｖｅを説明するための図であり、（ｂ）は、真空断熱層が押圧された状態での３層の積層構造の厚さＴの平均値Ｔａｖｅを説明するための図である。
【発明を実施するための形態】
【００１４】
以下、本発明の一実施形態について、詳細に説明する。図１は、本実施形態に係る断熱容器１０の概略構成を示す斜視図であり、図１の（ａ）は開蓋状態を示し、図１の（ｂ）は、閉蓋状態を示す。
【００１５】
図１の（ａ）及び（ｂ）並びに図に示されるように、本実施形態に係る断熱容器１０は、容器本体１と、蓄熱材４と、を備えている。蓄熱材４は、容器本体１の内部に配されている。
【００１６】
容器本体１は、上端に開口部２が形成された断熱性の筒状胴部１１と、開口部２を開閉する断熱性の開閉蓋部３と、を備えている。また、容器本体１は、断面形状が所望の大きさの略四角形になるように形成されている。筒状胴部１１は、上端部に開口部２が設けられている一方、下端部が閉塞した筒形状となっている。なお、ここでは、容器本体１における開閉蓋部３が設けられた側を下側とし、その反対側を上側とする。
【００１７】
図２は、本実施形態に係る断熱容器１０の側壁部の概略構成を示す断面図である。図２に示されるように、筒状胴部１１の側壁部は、内側断熱層１１ａと外側断熱層１１ｃとの間に真空断熱層１１ｂが配された３重断熱層（３層の積層構造）を備えている。内側断熱層１１ａおよび外側断熱層１１ｃは、平板状の断熱ボードにより形成されている。また、真空断熱層１１ｂは、平板状の真空断熱材により形成されている。
【００１８】
内側断熱層１１ａおよび外側断熱層１１ｃを構成する断熱ボードは、断熱性を有する材料であれば特に限定されないが、例えば発泡スチロール等の発泡樹脂材、または発泡紙等が挙げられる。また、前記断熱ボードは、緩衝作用を有する可撓性の発泡樹脂材であってもよい。また、真空断熱層１１ｂを構成する真空断熱材は、従来公知の材料を採用することができる。上記発泡樹脂材としては、具体的には、ポリウレタン、ポリスチレン、ポリエチレン、ポリプロピレン、ＡＳ樹脂又はＡＢＳ樹脂などを発泡させたものが用いられる。また、上記真空断熱材としては、例えば、芯材にシリカ粉、グラスウール、またはガラス繊維等を用いたものが用いられる。
【００１９】
筒状胴部１１の４つの側壁部それぞれにおける、内側断熱層１１ａの内面および外側断熱層１１ｃの外面は、１つのシート材５により全体的に被覆されている。シート材５は、防水性を有する材料その他任意の材料によって構成されている。図２に示された構成では、内側断熱層１１ａ、真空断熱層１１ｂ、および外側断熱層１１ｃは、シート材５内に収容されることにより、３層の積層構造が維持される。すなわち、内側断熱層１１ａ、真空断熱層１１ｂ、および外側断熱層１１ｃは、互いに接着剤などにより固着されていない。
【００２０】
なお、内側断熱層１１ａ、真空断熱層１１ｂ、および外側断熱層１１ｃは、図２に示される構成に限定されず、互いに接着剤により固着して積層構造を構成してもよい。この場合、接着剤は、空気よりも熱伝導率が低い材料であることが好ましい。
【００２１】
なお、断熱容器１０の底壁部、および上壁部（開閉蓋部３）の積層構造は、図２に示す側壁部の積層構造と同一であるので、説明を省略する。
【００２２】
蓄熱材４は、シート材５によって被覆された筒状胴部１１内部に収容されている。蓄熱材４は、内側断熱層１１ａの内面を被覆するシート材５に接触して配置されている。蓄熱材４は、蓄熱材組成物が容器または袋等に充填された構成である。蓄熱材４は、特に限定されないが、所定温度域の融解温度を有する蓄冷材組成物が容器または袋等に充填された蓄冷材であることが好ましい。ここでいう蓄冷材組成物の「融解温度」とは、「固体状の蓄冷材組成物が融解して液化する際に、当該蓄冷材組成物が呈する温度」のことを意図する。蓄冷材組成物の融解温度は、市販の温度コントロールユニットを備えた恒温槽中に測定試料を入れ、恒温槽温度を一定の割合で上昇または下降させ、その際の試料温度を、熱電対を用いてモニターすることにより測定することができる。また、蓄冷材組成物は、−６０℃以下の範囲内に、好ましくは−７５℃〜−６０℃の範囲内に、融解温度を有するものである。このように蓄熱材４が、融解温度が−６０℃以下の蓄冷材であるので、断熱容器１０に収容される被搬送物を、−６０℃以下の温度域に温度保持することができる。
【００２３】
また、断熱容器１０は、容器本体１を収容するバッグ６（外装材）を備えている。バッグ６は、例えば、繊維製シートの一方の面にアルミ蒸着されたアルミ蒸着シートで構成されている。バッグ６は、アルミ蒸着シートを縫着することにより容器本体１を適合して収容する寸法に形成される。容器本体１は、所望の部分に粘着テープ等にバッグ６に接着されることにより、バッグ６に収容される。
【００２４】
また、筒状胴部１１の壁部のうち側壁部の上端部における外側面（バッグ６の外側面）には、面状ファスナ７ａが固着されている。
【００２５】
開閉蓋部３は、側縁部から延出して設けられたフラップ３１ａ、３１ｂ、および３１ｃを備えている。フラップ３１ａ、３１ｂ、および３１ｃの内側面には、面状ファスナ７ａと係脱自在に係着する面状ファスナ７ｂが設けられている。
【００２６】
断熱容器１０では、開閉蓋部３により開口部２を閉塞し、開閉蓋部３のフラップ３１ａ、３１ｂ、および３１ｃそれぞれを筒状胴部１１の側壁部へ押接して面状ファスナ７ａおよび７ｂにより係着自在に止着するようになっている。
【００２７】
ところで、上述のように、壁部が３重断熱層を備えた構成では、内側断熱層１１ａ、真空断熱層１１ｂ、および外側断熱層１１ｃは、ある程度隙間が生じるようにシート材５の寸法などが設定されている。それゆえ、容器本体１内に被搬送物を収容した状態では、内側断熱層１１ａと真空断熱層１１ｂと外側断熱層１１ｃとの間には、空気層が形成される。この空気層は、内側断熱層１１ａ、真空断熱層１１ｂ、および外側断熱層１１ｃよりも熱伝導率が高い。このため、上記空気層を介して熱が伝導してしまい、３重断熱層による断熱性能が低下するおそれがある。内側断熱層１１ａと真空断熱層１１ｂと外側断熱層１１ｃとの間に形成された空気層は、ヒートブリッジとなり、３重断熱層の断熱性能が低下するといえる。このような空気層による３重断熱層の断熱性能の低下は、特に、断熱容器１０内に収容される被搬送物を−６０℃以下の温度域に温度保持する場合に影響する。
【００２８】
そこで、本実施形態に係る断熱容器１０では、真空断熱層１１ｂは、内側断熱層１１ａ側および外側断熱層１１ｃ側の少なくとも一方から押圧され、かつ内側断熱層１１ａおよび外側断熱層１１ｃの両方と密着した状態で挟持されている。図３は、本実施形態に係る断熱容器１０の壁部の構成を示す断面図であり、図３の（ａ）は、真空断熱層１１ｂが押圧されていない状態を示し、図３の（ｂ）は、真空断熱層１１ｂが押圧された状態を示す。
【００２９】
図３の（ａ）に示されるように、断熱容器１０の壁部は、真空断熱層１１ｂが押圧されていない状態では、内側断熱層１１ａと真空断熱層１１ｂと外側断熱層１１ｃとの間に空気層が形成されている。一方、図３の（ｂ）に示されるように、真空断熱層１１ｂが押圧された状態では、真空断熱層１１ｂは、内側断熱層１１ａ側および外側断熱層１１ｃ側の少なくとも一方から押圧され、かつ内側断熱層１１ａおよび外側断熱層１１ｃの両方と密着した状態となっている。
【００３０】
ここで、真空断熱層１１ｂが内側断熱層１１ａ側および外側断熱層１１ｃ側から押圧されていない状態（図３の（ａ）に示す状態）での３層の積層構造の厚さをｔとする。また、真空断熱層１１ｂが内側断熱層１１ａ側および外側断熱層１１ｃ側の少なくとも一方から押圧された状態（図３の（ｂ）に示す状態）での３層の積層構造の厚さをＴとする。このとき、断熱容器１０では、ｔ＞Ｔである。
【００３１】
このように、断熱容器１０では、真空断熱層１１ｂは、内側断熱層１１ａおよび外側断熱層１１ｃの両方と密着した状態となっているので、内側断熱層１１ａと真空断熱層１１ｂと外側断熱層１１ｃとの間の空気層の形成が抑制される。その結果、空気層を介した熱の伝導が抑制され、内側断熱層１１ａ、真空断熱層１１ｂ、および外側断熱層１１ｃから構成される３重断熱層の断熱性能が向上する。
【００３２】
なお、断熱容器１０は、内側断熱層１１ａ側および外側断熱層１１ｃ側の少なくとも一方から押圧され、かつ真空断熱層１１ｂが内側断熱層１１ａおよび外側断熱層１１ｃの両方と密着した状態となった構成であればよい。それゆえ、例えば、真空断熱層１１ｂが内側断熱層１１ａおよび外側断熱層１１ｃの両方と密着した状態で、内側断熱層１１ａおよび外側断熱層１１ｃの少なくとも一方が変形し厚さが小さくなった構成であってもよい。
【００３３】
（内側断熱層１１ａ、真空断熱層１１ｂ、および外側断熱層１１ｃの密着状態）
内側断熱層１１ａ、真空断熱層１１ｂ、および外側断熱層１１ｃの密着状態は、シート材５の寸法、バッグ６の寸法、容器本体１に収容される部材の配置等によって実現することができる。
【００３４】
また、ここでいう、真空断熱層１１ｂが内側断熱層１１ａ側および外側断熱層１１ｃ側の少なくとも一方から押圧される構成は、真空断熱層１１ｂが内側断熱層１１ａ側および外側断熱層１１ｃ側の両側から押圧される構成、内側断熱層１１ａおよび外側断熱層１１ｃの一方の位置が固定され、他方の側から真空断熱層１１ｂが押圧される構成を包含する。
【００３５】
例えば、真空断熱層１１ｂは、蓄熱材４によって内側断熱層１１ａ側から押圧され、かつ内側断熱層１１ａと密着した状態であってもよい。このような構成として、例えば、次の構成が挙げられる。すなわち、真空断熱層１１ｂが押圧されていない状態（図３の（ａ）に示す状態）において、複数の蓄熱材４は、容器本体１の内側の側壁面全面に接触するよう隙間なく配置されている。そして、この状態で蓄熱材４が内側断熱層１１ａ側へ押圧することによって形成された蓄熱材４同士の隙間にスペーサが挿入された構成である。このような構成では、蓄熱材４同士の隙間に挿入されたスペーサにより、蓄熱材４の位置は固定されるので、真空断熱層１１ｂは、蓄熱材４によって内側断熱層１１ａ側から押圧された状態となる。
【００３６】
また、真空断熱層１１ｂは、バッグ６によって外側断熱層１１ｃ側から押圧され、かつ外側断熱層１１ｃと密着した状態であってもよい。このような構成として、例えば、次の構成が挙げられる。すなわち、バッグ６の寸法が、容器本体１の外観寸法よりも小さい構成である。このような構成によって、容器本体１は、バッグ６の内壁面により押圧された状態で、バッグ６に収容される。それゆえ、真空断熱層１１ｂは、バッグ６によって外側断熱層１１ｃ側から押圧された状態となる。
【００３７】
また、上述した構成以外にも、例えば、シート材５の寸法が、内側断熱層１１ａ、真空断熱層１１ｂ、および外側断熱層１１ｃの厚さの合計よりも小さくなるように設定された構成であってもよい。このようなシート材５によって被覆されることによって、真空断熱層１１ｂは、シート材５によって、内側断熱層１１ａ側および外側断熱層１１ｃ側の両側から押圧された状態となる。さらに、シート材５内部をポンプなどによって吸引することによって真空状態になった構成であってもよい。このような構成により、真空断熱層１１ｂは、内側断熱層１１ａ側および外側断熱層１１ｃとの間に空気層が形成されない。それゆえ、真空断熱層１１ｂは、内側断熱層１１ａおよび外側断熱層１１ｃの両方と密着した状態となる。
【００３８】
また、真空断熱層１１ｂは、少なくとも外周部分および中心部分を含む部分で、内側断熱層１１ａ側および外側断熱層１１ｃ側の少なくとも一方から押圧されていることが好ましい。真空断熱層１１ｂが、例えば中心部分のみ、または外周部分のみで押圧されている場合、真空断熱層１１ｂと内側断熱層１１ａおよび外側断熱層１１ｃとの密着部分は局所的になる。このため、真空断熱層１１ｂと内側断熱層１１ａおよび外側断熱層１１ｃとの間の空気層が残ったままとなる。それゆえ、空気層を除くという観点では、真空断熱層１１ｂは、少なくとも外周部分および中心部分を含む部分で、内側断熱層１１ａ側および外側断熱層１１ｃ側の少なくとも一方から押圧されていることが好ましい。
【００３９】
それゆえ、真空断熱層１１ｂが押圧されていない状態（図３の（ａ）に示す状態）での３層の積層構造の厚さｔ、および真空断熱層１１ｂが押圧された状態（図３の（ｂ）に示す状態）での３層の積層構造の厚さＴは、複数個所で測定した測定値の平均値であることが好ましい。図４は、厚さｔの平均値と厚さＴの平均値との関係を説明するための断面図であり、図４の（ａ）は、真空断熱層１１ｂが押圧されていない状態での３層の積層構造の厚さｔの平均値ｔａｖｅを説明するための図であり、図４の（ｂ）は、真空断熱層１１ｂが押圧された状態での３層の積層構造の厚さＴの平均値Ｔａｖｅを説明するための図である。
【００４０】
図４の（ａ）に示されるように、厚さＴの平均値Ｔａｖｅは、少なくとも３重断熱層の外周部分ａおよびｂ、並びに中心部分ｃにて測定された厚さｔ１、ｔ２、およびｔ３の平均値（ｔ１＋ｔ２＋ｔ３）／３である。また、図４の（ｂ）に示されるように、厚さＴの平均値Ｔａｖｅは、図４の（ａ）にて測定された測定箇所と同じ個所で測定された厚さＴ１、Ｔ２、およびＴ３の平均値（Ｔ１＋Ｔ２＋Ｔ３）／３である。
【００４１】
本実施形態に係る断熱容器１０では、厚さｔの平均値ｔａｖｅと厚さＴの平均値Ｔａｖｅとの関係は、次のようになっていることが好ましい。
【００４２】
すなわち、
ｔ１≧Ｔ１、ｔ２≧Ｔ２、ｔ３≧Ｔ３、かつ、
ｔａｖｅ＞Ｔａｖｅ
であることが好ましい。
【００４３】
より好ましくは、
ｔ１＞Ｔ１、ｔ２＞Ｔ２、ｔ３＞Ｔ３、かつ、
ｔａｖｅ＞Ｔａｖｅ
である。
【００４４】
このような構成により、真空断熱層１１ｂは、少なくとも外周部分ａおよびｂ並びに中心部分ｃを含む部分で、内側断熱層１１ａおよび外側断熱層１１ｃの両方と密着した状態となっている。なお、厚さｔおよび厚さＴの測定箇所は、図４の（ａ）および（ｂ）に示すような３か所に限定されず、少なくとも３重断熱層の外周部分および中心部分を含んでいれば、個数は限定されない。
【００４５】
（断熱容器１０を用いた被搬送物の運搬方法）
本実施形に係る被搬送物の運搬方法は、上述した断熱容器１０を用いて被搬送物を運搬する方法である。すなわち、本実施形態に係る被搬送物の運搬方法は、容器本体１と、容器本体１の内部に配された蓄熱材４と、を備え、容器本体１の壁部は、内側断熱層１１ａと外側断熱層１１ｃとの間に真空断熱層１１ｂが配された、少なくとも３層の積層構造を有する断熱容器１０内に被搬送物を収納して被搬送物を運搬する運搬方法である。そして、この運搬方法においては、真空断熱層１１ｂが内側断熱層１１ａ側および外側断熱層１１ｃ側の少なくとも一方から押圧され、かつ内側断熱層１１ａおよび外側断熱層１１ｃの両方と密着した状態で、被搬送物を断熱容器１０に収納している。これにより、断熱性能が向上した被搬送物の運搬方法を実現できる。
【００４６】
〔まとめ〕
本発明の実施形態に係る断熱容器１０は、容器本体１と、前記容器本体１の内部に配された蓄熱材４と、を備え、前記容器本体１の壁部は、内側断熱層１１ａと外側断熱層１１ｃとの間に真空断熱層１１ｂが配された、少なくとも３層の積層構造を有し、前記積層構造では、前記外側断熱層１１ｃは、前記内側断熱層１１ａ側および前記外側断熱層１１ｃ側の少なくとも一方から押圧され、かつ前記内側断熱層１１ａおよび前記外側断熱層１１ｃの両方と密着した状態で挟持された構成である。
【００４７】
上記の構成によれば、真空断熱層１１ｂは、前記内側断熱層１１ａ側および前記外側断熱層１１ｃ側の少なくとも一方から押圧され、かつ前記内側断熱層１１ａおよび前記外側断熱層１１ｃの両方と密着した状態となっているので、前記内側断熱層１１ａと前記真空断熱層１１ｂと前記外側断熱層１１ｃとの間の空気層の形成が抑制される。その結果、上記の構成によれば、空気層を介した熱の伝導が抑制され、前記積層構造による断熱性能が向上する。
【００４８】
また、前記蓄熱材４は、融解温度−６０℃以下の蓄冷材であることが好ましい。
【００４９】
これにより、断熱容器１０に収容される被搬送物を、−６０℃以下の温度域に温度保持することができる。
【００５０】
本発明の実施形態に係る断熱容器１０は、前記真空断熱層１１ｂが前記内側断熱層１１ａ側および前記外側断熱層１１ｃ側から押圧されていない状態での前記積層構造の厚さをｔとし、前記真空断熱層１１ｂが前記内側断熱層１１ａ側および前記外側断熱層１１ｃ側の少なくとも一方から押圧された状態での前記積層構造の厚さをＴとしたとき、
ｔ＞Ｔ
である構成であってもよい。
【００５１】
これにより、空気層を介した熱の伝導が抑制され、前記積層構造による断熱性能が向上する。
【００５２】
本発明の実施形態に係る断熱容器１０は、前記真空断熱層１１ｂは、前記蓄熱材４によって前記内側断熱層１１ａ側から押圧され、かつ前記内側断熱層１１ａと密着した状態である構成であってもよい。これにより、特に、前記内側断熱層１１ａと前記真空断熱層１１ｂとの間の空気層の形成が抑制される。
【００５３】
また、本発明の実施形態に係る断熱容器１０は、前記容器本体１を被覆する外装材（バッグ６）を備え、前記真空断熱層１１ｂは、前記外装材によって前記外側断熱層１１ｃ側から押圧され、かつ前記外側断熱層１１ｃと密着した状態である構成であってもよい。これにより、特に、前記真空断熱層１１ｂと前記外側断熱層１１ｃとの間の空気層の形成が抑制される。
【００５４】
また、本発明の実施形態に係る運搬方法は、容器本体１と、前記容器本体１の内部に配された蓄熱材４と、を備え、前記容器本体１の壁部は、内側断熱層１１ａと外側断熱層１１ｃとの間に真空断熱層１１ｂが配された、少なくとも３層の積層構造を有する断熱容器１０内に被搬送物を収納して被搬送物を運搬する運搬方法であって、前記真空断熱層１１ｂが前記内側断熱層１１ａ側および前記外側断熱層１１ｃ側の少なくとも一方から押圧され、かつ前記内側断熱層１１ａおよび前記外側断熱層１１ｃの両方と密着した状態で、前記被搬送物を前記断熱容器１０に収納することを特徴としている。
【００５５】
上記の構成によれば、断熱性能が向上した被搬送物の運搬方法を実現できる。
【００５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００５７】
１    容器本体
１１ａ  内側断熱層
１１ｂ  真空断熱層
１１ｃ  外側断熱層
４    蓄熱材
６    バッグ（外装材）
１０    断熱容器
【図１】
2019137458.tif 000003
【図２】
2019137458.tif 000004
【図３】
2019137458.tif 000005
【図４】
2019137458.tif 000006